(57)【要約】【課題】光の出光量を増加させる。【解決手段】光共振器、表示パネルを提供する。当該光共振器（１００）は光変換層（１１０）を含み、前記光共振器（１００）は、特定の波長域の光を出射するように構成され、前記光共振器（１００）における前記特定の波長域の光の中心波長の少なくとも１つの波節に前記光変換層（１１０）が設けられている。【選択図】図１Ｂ
2021517263.tif 000002
【特許請求の範囲】
【請求項１】
光変換層を含む光共振器であって、特定の波長域の光を出射するように構成され、前記光共振器における前記特定の波長域の光の中心波長の少なくとも１つの波節に前記光変換層が設けられている、光共振器。
【請求項２】
第１の機能層と、
前記第１の機能層に対向して設けられた第２の機能層と、
前記第１の機能層と前記第２の機能層との間に位置する光学媒体層と、をさらに含み、
前記光変換層は、前記光学媒体層内に位置し、前記特定の波長域の光は、前記第１の機能層から出射される、請求項１に記載の光共振器。
【請求項３】
前記光共振器は透過型光共振器であり、前記第１の機能層と前記第２の機能層は共に半透過反射膜であるか、又は、
前記光共振器は反射型光共振器であり、前記第１の機能層は半透過反射膜であり、前記第２の機能層は全反射膜である、請求項２に記載の光共振器。
【請求項４】
前記光学媒体層の光学的厚さと前記光変換層の光学的厚さとの和は、前記特定の波長域の光の中心波長の半波長の正の整数倍である、請求項２または３に記載の光共振器。
【請求項５】
前記光変換層の屈折率は、前記光学媒体層の屈折率よりも大きい、請求項２〜４のいずれか一項に記載の光共振器。
【請求項６】
前記光変換層の厚さ中心面と前記特定の波長域の光の中心波長の波節との距離は、前記中心波長の１／３０以下である、請求項２〜５のいずれか一項に記載の光共振器。
【請求項７】
前記光変換層の厚さは、前記特定の波長域の光の中心波長の１／３０以下である、請求項１〜５のいずれか一項に記載の光共振器。
【請求項８】
前記特定の波長域の光は単色光である、請求項１〜７のいずれか一項に記載の光共振器。
【請求項９】
前記単色光は、赤色光、緑色光、青色光のいずれかである、請求項８に記載の光共振器。
【請求項１０】
前記光変換層の材料は、前記単色光を得るための上変換発光材料および／または下変換発光材料を含む、請求項８に記載の光共振器。
【請求項１１】
前記上変換発光材料は希土類イオンがドープされた無機化合物を含み、
前記下変換発光材料は蛍光材料または量子ドット材料を含む、請求項１０に記載の光共振器。
【請求項１２】
前記光共振器は、銀膜と、第１のシリカ膜と、光変換材料膜と、第２のシリカ膜と、二酸化チタン膜とがこの順で積層して設けられ、
前記二酸化チタン膜が前記第１の機能層とし、前記銀膜は前記第２の機能層とし、前記第１のシリカ膜と前記第２のシリカ膜は前記光学媒体層とし、前記光変換材料膜は前記光変換層とする、請求項２に記載の光共振器。
【請求項１３】
前記光共振器は、複数の前記光変換層を含み、複数の前記光変換層は、互いに間隔を隔てて、前記特定の波長域の光の中心波長の異なる波節に設けられている、請求項１に記載の光共振器。
【請求項１４】
反射防止膜をさらに含み、
前記光共振器が透過型光共振器である場合に、前記反射防止膜は、前記第２の機能層の前記第１の機能層に離れる側に設けられ、
前記光共振器が反射型光共振器である場合に、前記反射防止膜は、前記第１の機能層の前記第２の機能層に離れる側に設けられている、請求項３に記載の光共振器。
【請求項１５】
第１の機能層の一方側に、または前記第１の機能層内に設けられた金属吸収層をさらに含む、請求項１〜１４のいずれか一項に記載の光共振器。
【請求項１６】
請求項１〜１５のいずれか一項に記載の光共振器を含む、表示パネル。
【請求項１７】
前記光共振器と積層して設けられ、通過する光の強度を制御可能に構成された光強度制御構造をさらに含む、請求項１６に記載の表示パネル。
【請求項１８】
前記表示パネルは反射型表示パネルであり、前記表示パネルの表示側から非表示側に向かって、光強度制御構造と前記光共振器とを順次設置し、前記光共振器は光反射を実現するための反射型光共振器であり、又は、
前記表示パネルは透過型表示パネルであり、前記光共振器は透過型光共振器である、請求項１７に記載の表示パネル。
【請求項１９】
前記光強度制御構造は、エレクトロクロミック光強度制御構造または液晶光強度制御構造であり、
前記エレクトロクロミック光強度制御構造は、第１の電極と、第２の電極と、エレクトロクロミック層とを含み、前記第１の電極と第２の電極は、電気信号の印加時に前記エレクトロクロミック層を制御可能に構成され、
前記液晶光強度制御構造は、第３の電極と、第４の電極と、第１の偏光層と、第２の偏光層と、液晶層とを含み、前記第１の偏光層の第１の偏光方向と前記第２の偏光層の第２の偏光方向とは互いに垂直となり、前記液晶層は前記第１の偏光層と前記第２の偏光層との間に介在し、前記第３の電極と前記第４の電極は、電気信号の印加時に前記液晶層を制御可能に構成されている、請求項１７に記載の表示パネル。
【発明の詳細な説明】
【技術分野】
【０００１】
本開示の実施例は、光共振器、表示パネルに関する。
【発明の概要】
【発明が解決しようとする課題】
【０００２】
光共振器は、入射する光線を選択することができ、キャビティ内の光路を調整することで特定波長の光を出射することができる。この特定波長の光は、光共振器のキャビティにおいて強め合う干渉になり、より大きな輝度で出射することが可能となり、光共振器に入射した他の波長の光線は、キャビティ内で繰り返し振動し、弱め合う干渉になるか、または他の構造によって吸収される。そのため、従来の光共振器は光の利用率に限界があり、出光量が低かった。
【課題を解決するための手段】
【０００３】
本開示の少なくとも１つの実施例は、光変換層を含む光共振器を提供し、前記光共振器は、特定の波長域の光を出射するように構成され、前記光共振器における前記特定の波長域の光の中心波長の少なくとも１つの波節に前記光変換層が設けられている。
【０００４】
例えば、本開示の少なくとも１つの実施例によって提供される光共振器は、第１の機能層と、前記第１の機能層に対向して設けられた第２の機能層と、前記第１の機能層と前記第２の機能層との間に位置する光学媒体層と、をさらに含み、前記光変換層は、前記光学媒体層内に位置し、前記特定の波長域の光は、前記第１の機能層から出射される。
【０００５】
例えば、本開示の少なくとも１つの実施例によって提供される光共振器において、前記光共振器は、透過型光共振器であり、前記第１の機能層と前記第２の機能層は共に半透過反射膜であるか、又は前記光共振器は反射型光共振器であり、前記第１の機能層は半透過反射膜であり、前記第２の機能層は全反射膜である。
【０００６】
例えば、本開示の少なくとも１つの実施例によって提供される光共振器において、前記光学媒体層の光学的厚さと前記光変換層の光学的厚さとの和は、前記特定の波長域の光の中心波長の半波長の正の整数倍である。
【０００７】
例えば、本開示の少なくとも１つの実施例によって提供される光共振器において、前記光変換層の屈折率は、前記光学媒体層の屈折率よりも大きい。
【０００８】
例えば、本開示の少なくとも１つの実施例によって提供される光共振器において、前記光変換層の厚さ中心面と前記特定の波長域の光の中心波長の波節との距離は、前記中心波長の１／３０以下である。
【０００９】
例えば、本開示の少なくとも１つの実施例によって提供される光共振器において、前記光変換層の厚さは、前記特定の波長域の光の中心波長の１／３０以下である。
【００１０】
例えば、本開示の少なくとも１つの実施例によって提供される光共振器において、前記特定の波長域の光は単色光である。
【００１１】
例えば、本開示の少なくとも１つの実施例によって提供される光共振器において、前記単色光は、赤色光、緑色光、青色光のいずれかである。
【００１２】
例えば、本開示の少なくとも１つの実施例によって提供される光共振器において、前記光変換層の材料は、前記単色光を得るための上変換発光材料および／または下変換発光材料を含む。
【００１３】
例えば、本開示の少なくとも１つの実施例によって提供される光共振器において、前記上変換発光材料は希土類イオンがドープされた無機化合物を含み、前記下変換発光材料は蛍光材料または量子ドット材料を含む。
【００１４】
例えば、本開示の少なくとも１つの実施例によって提供される光共振器において、前記光共振器は、銀膜と、第１のシリカ膜と、光変換材料膜と、第２のシリカ膜と、二酸化チタン膜とがこの順に積層して設けられ、前記二酸化チタン膜が前記第１の機能層とし、前記銀膜は前記第２の機能層とし、前記第１のシリカ膜と前記第２のシリカ膜は前記光学媒体層とし、前記光変換材料膜は前記光変換層とする。
【００１５】
例えば、本開示の少なくとも１つの実施例によって提供される光共振器において、前記光共振器は、複数の前記光変換層を含み、複数の前記光変換層は、互いに間隔を隔てて、前記特定の波長域の光の中心波長の異なる波節に設けられている。
【００１６】
例えば、本開示の少なくとも１つの実施例によって提供される光共振器は、反射防止膜をさらに備え、前記光共振器が透過型光共振器である場合に、前記反射防止膜は、前記第２の機能層の前記第１の機能層に離れる側に設けられ、前記光共振器が反射型光共振器である場合に、前記反射防止膜は、前記第１の機能層の前記第２の機能層に離れる側に設けられている。
【００１７】
例えば、本開示の少なくとも１つの実施例によって提供される光共振器は、前記第１の機能層の一方側に、または前記第１の機能層内に設けられた金属吸収層をさらに含む。
【００１８】
本開示の少なくとも１つの実施例は、前記のいずれかの実施例における光共振器を含む表示パネルを提供する。
【００１９】
例えば、本開示の少なくとも１つの実施例によって提供される表示パネルは、前記光共振器と積層して設けられ、通過する光の強度を制御可能に構成された光強度制御構造をさらに含む。
【００２０】
例えば、本開示の少なくとも１つの実施例によって提供される表示パネルにおいて、前記表示パネルは反射型表示パネルであり、前記表示パネルの表示側から非表示側に向かって、光強度制御構造と前記光共振器とを順次設置し、前記光共振器は反射型光共振器であって光反射を実現し、又は、前記表示パネルは透過型表示パネルであり、前記光共振器は透過型光共振器である。
【００２１】
例えば、本開示の少なくとも１つの実施例によって提供される表示パネルにおいて、前記光強度制御構造は、エレクトロクロミック光強度制御構造または液晶光強度制御構造であり、前記エレクトロクロミック光強度制御構造は、第１の電極と、第２の電極と、エレクトロクロミック層とを含み、前記第１の電極と第２の電極は、電気信号の印加時に前記エレクトロクロミック層を制御可能に構成され、前記液晶光強度制御構造は、第３の電極と、第４の電極と、第１の偏光層と、第２の偏光層と、液晶層とを含み、前記第１の偏光層の第１の偏光方向と前記第２の偏光層の第２の偏光方向とは互いに垂直となり、前記液晶層は前記第１の偏光層と前記第２の偏光層との間に介在し、前記第３の電極と前記第４の電極は、電気信号の印加時に前記液晶層を制御可能に構成されている。
【図面の簡単な説明】
【００２２】
【図１Ａ】図１Ａは、本開示のいくつかの実施例によって提供される光共振器の構造の模式図である。
【図１Ｂ】図１Ｂは、図１Ａに示す光共振器の光路図である。
【図１Ｃ】図１Ｃは、本開示のいくつかの実施例によって提供される別の光共振器の構造の模式図である。
【図１Ｄ】図１Ｄは、本開示のいくつかの実施例によって提供される別の光共振器の構造の模式図である。
【図１Ｅ】図１Ｅは、本開示のいくつかの実施例によって提供される別の光共振器の構造の模式図である。
【図２Ａ】図２Ａは本開示のいくつかの実施例によって提供される表示パネルの部分構造の模式図である。
【図２Ｂ】図２Ｂは本開示のいくつかの実施例によって提供される別の表示パネルの部分構造の模式図である。
【図３】図３は本開示のいくつかの実施例によって提供される別の表示パネルの部分構造の模式図である。
【図４Ａ】図４Ａは本開示のいくつかの実施例によって提供される別の表示パネルの部分構造の模式図である。
【図４Ｂ】図４Ｂは本開示のいくつかの実施例によって提供される別の表示パネルの部分構造の模式図である。
【図５】図５は、本開示のいくつかの実施例によって提供される光共振器の反射スペクトル図である。
【図６】図６は、本開示のいくつかの実施例によって提供される変換発光材料の発光スペクトル図である。
【発明を実施するための形態】
【００２３】
本発明の実施例の目的、技術案および利点をより明確にするために、本発明の実施例の技術案を、本発明の実施例の図面を参照して以下に明確かつ完全に説明する。記載された実施例は、本開示の一部の実施形態であって、全ての実施形態ではないことは明らかである。記載された本開示の実施例に基づいて、当業者が創造的な労力を必要とせずに得られる他の全ての実施例は、全て本開示の範囲内である。
【００２４】
他に定義されない限り、本開示で使用される技術用語または科学用語は、本開示が属する技術分野において一般的な技能を有する者によって理解される一般的な意味であるべきである。本開示において使用される「第１」、「第２」、および類似の用語は、順序、数、または重要性を意味するものではなく、単に異なる構成要素を区別するために使用される。「含む」又は「備える」等の類似の用語は、他の要素又は物品を除外することなく、当該用語の前に存在する要素又は物品が、用語の後に列挙された要素又は物品及びそれらの同等物を包含することを意味する。「接続」又は「連結」などの類似の用語は、物理的または機械的接続に限定されず、直接的または間接的ないずれかの電気的接続を含むことができる。「上」、「下」、「左」、「右」等は、相対的な位置関係を示すためにのみ用いられ、記述されたオブジェクトの絶対的な位置が変化すると、それに応じて相対的な位置関係も変化し得る。
【００２５】
本開示の少なくとも１つの実施例は、光変換層を含む光共振器を提供し、光共振器は、特定の波長域の光を出射するように構成され、光共振器において、光変換層は、特定の波長域の光の中心波長の波節に位置している。光共振器は、特定の波長域の光を出射するように構成されているので、当該光共振器には、当該特定の波長域の光の波が存在することになり、当該存在する特定の波長域の光の波に応じて、光共振器内の光変換層の位置を決定する。光変換層は、他の波長の光を上記特定の波長域の光に変換することができ、光共振器の出光量を向上させることができ、また、光共振器において光変換層が特定の波長域の光の中心波長の波節に位置することにより、上記特定の波長域の光に対する吸収を低減することができ、また、この場合に、光変換層が他の波長の光の非波節に位置することになり、光変換層による他の部分の光に対する吸収を増加することができ、光共振器の出光量をさらに増加させることができる。光共振器は、光反射性（例えば、全反射又は半透過半反射）を有する対向する平行な２つの側面を含む共振器本体（又は共振空間とも呼ばれる）を含み、光線は共振器本体のこの２つの側面の間を往復（往復反射）して共振を実現し、この共振によって特定の波長域の光がある側面から出射される。この２つの側面は共振側面と呼んでもよく、共振側面間の垂直距離は共振器本体の長さを定義し、それに応じて、光共振器内に存在する特定の波長域の光の中心波長の波節は、共振側面と重なる。本開示の実施例は、共振器本体の共振を達成するために使用されない側面に限定されない。
【００２６】
なお、本開示の少なくとも１つの実施例において、光共振器において、光変換層が特定の波長域の光の中心波長の波節に位置するとは、光共振器において、光変換層が波節と重なるか、波節の近傍に位置することを意味する。例えば、光変換層とこの中心波長の波節との距離は、光変換層とこの中心波長の波腹との距離よりも小さい。
【００２７】
本開示の少なくとも１つの実施例において、上記特定の波長域の光の中心波長は、光共振器の設計波長であってもよい。以下、本発明の以下の少なくとも１つの実施例の技術案において、上記特定の波長域の光の中心波長を光共振器の設計波長で表し、特定の波長域を設計波長域で表す。例示的には、光共振器の設計波長は６３０ナノメートルであり、すなわち、光共振器は、６３０ナノメートルの中心波長を有する赤色光を出射することができ、６３０ナノメートルの波長の光の少なくとも１つの波節は４２０ナノメートルの青色光の波腹と同じ位置にあり、この位置に光変換層を設けると、この光変換層は４２０ナノメートルの赤色光を吸収せず、しかし４２０ナノメートルの青色光に対する吸収度が最も高い。このように、入射光のうち設計波長域に適合する光（上記特定の波長域の光）の吸収を最小限に抑えるだけでなく、また、非設計波長域の光と設計波長域の光との間の変換量を最大化することができ、光共振器の出光量をさらに向上させることができる。
【００２８】
以下、本発明の少なくとも１つの実施例に係る光共振器、表示パネルについて図面を参照して説明する。
【００２９】
図１Ａは、本開示の１つの実施例によって提供される光共振器の構造の模式図であり、図１Ｂは、図１Ａに示す光共振器の光路図である。
【００３０】
例えば、本開示の少なくとも１つの実施例において、図１Ａと図１Ｂに示すように、光共振器１００は、特定の波長域の光を出射するように構成された光変換層１１０を含み、光共振器１００の共振器本体内におけるこの特定の波長範囲の光の中心波長の１つの波節はＰであり、光変換層１１０は波節Ｐに設けてもよい。光変換層１１０は、設計波長域の光を吸収することなく、非設計波長域の光を吸収して設計波長域の光に変換し、設計波長域の光の出光量を向上させることができる。
【００３１】
例えば、本開示の少なくとも１つの実施例において、光共振器は、第１の機能層と、第２の機能層と、光学媒体層とをさらに含み、第１の機能層と第２の機能層とが対向して設けられ、光学媒体層は第１の機能層と第２の機能層との間に位置し、光変換層は光学媒体層内に位置し、特定の波長域の光は第１の機能層から出射される。例示的には、図１Ａと図１Ｂに示すように、光共振器１００は、第１の機能層１２１と、光学媒体層１３０と、第２の機能層１２２とがこの順に積層して設けられ、光変換層１１０は光学媒体層１３０内に位置する。第１の機能層１２１と第２の機能層１２２は、光共振器１００に入射した光が第１の機能層１２１と第２の機能層１２２との間で往復反射させるように、光学媒体層１３０に対して高反射膜層であり、光共振器１００の設計波長要件を満たす光線は、反射中に強め合う干渉になり、それにより、より大きな輝度で光共振器１００から放射される。この設計波長は、光共振器１００の共振器本体１０１の長さＬ及び共振器本体１０１の光学特性（例えば屈折率）に依存する。例えば、共振器本体１０１に光学媒体層１３０及び光変換層１１０が含まれている場合には、光学媒体層１３０の光学的厚さ（実際の厚さと屈折率との積）と光変換層１１０の光学的厚さとの和は、設計波長の半波長の正の整数倍であり、このときの共振器本体１０１の長さＬは、光学媒体層１３０の実際の厚さと光変換層１１０の実際の厚さとの和となる。そこで、上記実施例では、対向して設けられた第１の機能層と第２の機能層とが光反射性を有し、第１の機能層１２１の第２の機能層１２２に面する表面１２１１および第２の機能層１２２の第１の機能層１２１に面する表面１２２１は、共振器本体１０１の共振側面とし、すなわち、この２つの表面（１２１１と１２２１）は、光共振器１００の共振器本体１０１を画定する。
【００３２】
本開示の少なくとも１つの実施例において、光共振器の種類は限定されず、それに応じて、第１の機能層と第２の機能層は、光共振器の種類に応じて設定されてもよい。
【００３３】
例えば、本開示の少なくとも１つの実施例によって提供される光共振器において、光共振器が透過型光共振器であり、第１の機能層と第２の機能層が共に半透過反射膜である。例えば、設計波長の光に対する第２の機能層の反射率は、設計波長の光に対する第１の機能層の反射率よりも大きく、設計波長の光を第１の機能層から放射させることができる。例えば、透過型光共振器に入射する光線は、第２の機能層から光共振器に入射する光線を含んでもよいし、第１の機能層から光共振器に入射する光線を含んでもよい。
【００３４】
例えば、本開示の少なくとも１つの実施例によって提供される光共振器において、光共振器は反射型光共振器であり、第１の機能層は半透過半反射膜であり、第２の機能層は全反射膜である。
【００３５】
本開示の少なくとも１つの実施例において、第１の機能層の反射率は、特に制限されず、必要に応じて選択することができる。第１の機能層の反射率が大きいほど、第１の機能層の透過帯域の波長半値幅が小さくなり、その分、出射光の波長域が狭くなり、すなわち出射光の単色性が良くなる。
【００３６】
例えば、本開示の少なくとも１つの実施例によって提供される光共振器において、光共振器は反射防止膜をさらに含んでもよい。反射防止膜は光共振器の入光側に位置し、入射光が光共振器に入る割合を増加させ、光共振器の設計波長域の光の出光量を向上させることができる。例示的に、図１Ｃに示すように、光共振器が透過型光共振器である場合には、第２機能層１２２の第１機能層１２１に離れる側に反射防止膜１４０を設けてもよく、図１Ｄに示すように、光共振器が反射型光共振器である場合には、第１機能層１２１の第２機能層１２２に離れる側に反射防止膜１４０を設けてもよい。
【００３７】
例えば、本開示の少なくとも１つの実施例によって提供される光共振器において、光学媒体層の光学的厚さと光変換層の光学的厚さとの和は、特定の波長域の光の中心波長の半波長の正の整数倍である。このように、上記中心波長の光は、第１の機能層１２１と第２の機能層１２２との間で干渉が強め合うことができる。光学的厚さは、構造層の実際の厚さと屈折率との積とすることができる。例示的には、図１Ａと図１Ｂに示すように、第１の機能層１２１が位置する面と第２の機能層１２２が位置する面とは平行となり、第１の機能層１２１が位置する面に対して垂直となる方向に、光学媒体層１３０の厚さとその屈折率との積と、光変換層１１０の厚さとその屈折率との積との和は、設計波長の半波長の正の整数倍である。
【００３８】
本開示の少なくとも１つの実施例において、光学媒体層の材料は特に限定されない。例えば、光学媒体層の材料としては、空気、無機材料、または有機材料等が挙げられ、無機材料としては、例えば、シリカ、フッ化マグネシウム等の低屈折率材料であってもよい。
【００３９】
例えば、本開示の少なくとも１つの実施例において、光共振器には、１つの光変換層が設けられていてもよいし、複数の光変換層が互いに離間して設けられていてもよい。例えば、光共振器の設計波長の波節にこの複数の光変換層を設けることで、非設計波長光の吸収をさらに増加させることができ、その分、設計波長光線の出光量をさらに向上させることができる。光変換層の配置数は、第１の機能層１２１と第２の機能層１２２との間の光学的厚さに応じて設計することができる。
【００４０】
例えば、本開示の少なくとも１つの実施例によって提供される光共振器において、光変換層の屈折率は、光学媒体層の屈折率よりも大きい。このように、全反射の原理により、光変換層を反射層として、隣接する光変換層の間や、光変換層と機能層（第１の機能層または第２の機能層）との間で光を反射させることができる。例えば、光変換層を反射層とする場合には、第１の機能層または第２の機能層の間に複数の共振器を形成することができ、非設計波長の光に対するキャンセルの度合いをより高めることができ、さらに設計波長の光に対する出光量と輝度を向上させる。例えば、光変換層は、非設計波長の光の吸収を増加させるために、より大きな消衰係数を有するように設けてもよい。
【００４１】
本発明の少なくとも１つの実施例において、光共振器内における光変換層の具体的な位置は、光変換層が設計波長の波節に位置していれば特に限定されず、光変換層と波節とが重なっていてもよく、あるいは、光変換層と波節との離間距離が許容範囲内である。例えば、本開示の少なくとも１つの実施例によって提供される光共振器において、光変換層の厚さ中心面と特定の波長域の光の中心波長の波節との距離は、中心波長の１／３０以下である。上記範囲内においては、光変換層による設計波長域の光吸収が非常に少なく、設計波長域の光の出光量を増加させることができる。例示的には、図１Ｂに示すように、第１の機能層１２１が位置する面と、第２の機能層１２２が位置する面と、光変換層の厚さ中心面Ｑとは平行となり、厚さ中心面Ｑと波節Ｐとの距離は、第１の機能層１２１が位置する面に垂直となる方向（例えば、図１Ｂに示す破線Ｗ）において、設計波長の１／３０以下である。
【００４２】
本発明の少なくとも１つの実施例において、光共振器内における光変換層の具体的な位置は、光変換層による設計波長域の光の吸収が許容範囲内であれば特に限定されない。例えば、本開示の少なくとも１つの実施例によって提供される光共振器において、光変換層の厚さは、特定の波長域の光の中心波長の１／３０以下である。上記範囲内においては、光変換層の主表面が設計波長の光の波腹から遠く、光変換層による設計波長域の光吸収が非常に少なく、設計波長域の光の出光量を増加させることができる。
【００４３】
例えば、本開示の少なくとも１つの実施例において、光共振器は金属吸収層をさらに含んでもよい。例えば、図１Ｅに示すように、金属吸収層１５０は、第１の機能層１２１の一方側に位置してもよいし、第１の機能層１２１内に設けてもよい。金属吸収層は、非設計波長域の光を吸収し、出射光の単色性を向上させることができる。
【００４４】
例示的には、本開示の少なくとも１つの実施例において、下記の表１に示すように、中心波長６２０ナノメートルの赤色光を出射することができる光共振器の膜系構成が提供される。
【００４５】
【表１】
2021517263.tif 000003
【００４６】
表１に示す光共振器において、第１層のクロム膜と第２層の銀膜を高反射膜層（第２の機能層）としてもよく、この場合、第２の機能層は全反射層である。クロム膜は、銀膜よりも基底ガラスとの密着性が強く、この場合、第１層のクロム膜は、主に光共振器を基底に固定するために用いられるが、本発明の少なくとも１つの実施例においては、第１層のクロム膜を設けなくてもよい。例えば、第２層の銀膜は、アルミニウム膜、金膜、銅膜等の反射率の高い膜層に代えてもよく、本発明の実施例は特に限定されない。例えば、第６層の二酸化チタン膜層、第７層のクロム膜、及び第８層の二酸化チタン膜層を高反射膜層（第１の機能層）、第７層のクロム膜を金属吸収層としてもよい。第３層及び第５層のシリカ膜層は光学媒体層であり、第４層の光変換材料膜層は光学媒体層内に位置する光変換層である。表１に示す膜系では、光変換層は６２０ナノメートルの波長の光の波節に位置している。
【００４７】
図５は表１に示す光共振器の光変換材料層の光変換作用が生じていない場合の反射スペクトル図であり、この反射スペクトル図における横軸は光の波長（ｗａｖｅｌｅｎｇｔｈ）を示し、縦軸は光反射率（ｒｅｆｌｅｃｔａｎｃｅ）を示し、図６は変換発光材料の発光スペクトル図であり、この発光スペクトル図における横軸は光の波長（ｗａｖｅｌｅｎｇｔｈ）を示し、縦軸は変換発光材料のフォトルミネセンス強度（ｐｈｏｔｏｌｕｍｉｎｅｓｃｅｎｃｅ  ｉｎｔｅｎｓｉｔｙ）を示す。例えば、表１に示す光共振器の光変換材料層に光変換作用が生じた場合、光共振器の光に対する反射効果は、図５の反射スペクトルと図６の変換発光材料の発光スペクトルとの相乗効果である。
【００４８】
図５に示すように、この光共振器は、約６２０ナノメートルの波長の光に対する反射率が、他の波長の光に対する反射率よりもはるかに高く、図６に示すように、変換発光材料を通る光の波長も６２０ナノメートル付近に集中している。表１に示す光共振器の光変換材料層に光変換作用が生じると、約６２０ナノメートルの波長の光に対する光共振器の出光率を向上させることができる。
【００４９】
例えば、本開示の少なくとも１つの実施例によって提供される光共振器において、特定の波長域の光は単色光である。例えば、この単色光は一般的に可視光域内にあり、すなわち、光共振器を単色光放射器として表示や照明に応用することができるように、光共振器から出射される光の波長域は単色の波長帯域のみをカバーする。例えば、光共振器をセンサに適用することができるように、この単色光を赤外帯域に位置することもできる。例えば、本開示の少なくとも１つの実施例において、光共振器から出射される光の波長域は、複数の色の波長帯域をカバーすることができる。
【００５０】
以下、光共振器から出射される光が単色光である場合を例に挙げて、本開示の以下の少なくとも１つの実施例における技術案について説明する。
【００５１】
例えば、本開示の少なくとも１つの実施例によって提供される光共振器において、単色光は、赤色光、緑色光、青色光のいずれかであってもよい。このように、光共振器は３原色の光を発射することができ、異なる色の光を発射する共振器を組み合わせることにより、画像を表示することができ、このように、光共振器は表示分野に応用することができる。
【００５２】
例えば、本開示の少なくとも１つの実施例によって提供される光共振器において、光変換層の材料は、単色光を得るための上変換発光材料および／または下変換発光材料を含む。上変換発光材料は、この単色光の波長よりも大きい波長の光をこの単色光に変換することができ、下変換発光材料は、この単色光の波長よりも小さい波長の光をこの単色光に変換することができる。光変換層には、複数種類の光変換発光材料が設けられていてもよく、これらの光変換発光材料は、それぞれ複数の膜層として設けられていてもよいし、同一の膜層にドープされていてもよい。
【００５３】
本開示の少なくとも１つの実施例において、上変換発光材料と下変換発光材料の種類は特に限定されない。例えば、下変換発光材料は、無機発光材料および／または有機発光材料、さらには例えば蛍光材料または量子ドット材料などを含んでもよい。上変換発光材料は、希土類イオンがドープされた無機化合物を含んでもよい。例えば、光共振器から出射される青色光の具体的な波長帯域に応じて、対応する上変換発光材料は、フッ素化合物、酸化物、硫黄化合物、酸フッ化物、ハロゲン化物等の無機化合物に希土類イオンをそれぞれの濃度と比率でドープして得ることができる。例えば、上変換発光材料は、フッ化イットリウムナトリウム（ＮａＹＦ４）をホスト材料として、イッテルビウム（Ｙｂ）：ツリウム（Ｔｍ）：エルビウム（Ｅｒ）＝（１８〜６０）：（０〜０．２）：（０〜２）をドープしてもよい。
【００５４】
例示的には、光共振器から出射される光は赤色光である光変換層は、青色光と緑色光を赤色光に変換するための下変換発光材料を含んでもよい。例えば、下変換発光材料は、赤色量子ドット、赤色蛍光材料などの赤色発光材料を含んでもよい。なお、下変換発光材料は、青色光よりも波長の小さい紫外線、Ｘ線、ガンマ線等を赤色光に変換することもできる。例えば、光変換層は、赤色光よりも波長の大きい赤外線等を赤色光に変換するための上変換発光材料を含んでもよい。
【００５５】
例示的には、光共振器から出射される光は緑色光である光変換層は、青色光を緑色光に変換するための下変換発光材料および／または赤色光を緑色光に変換するための上変換発光材料を含んでもよい。例えば、下変換発光材料は、緑色量子ドット、緑色蛍光材料などの緑色発光材料を含んでもよい。例えば、上変換発光材料は、フッ化イットリウムナトリウム（ＮａＹＦ４）をホスト材料として、Ｙｂ：Ｔｍ：Ｅｒ＝（１８〜２５）：０：２をドープしてもよい。なお、上変換発光材料は、赤色光よりも波長の大きい赤外線等を赤色光に変換することができ、下変換発光材料は、青色光よりも波長の小さい紫外線、Ｘ線、ガンマ線等を青色光に変換することもできる。
【００５６】
例示的には、光共振器から出射される光は青色光である光変換層は、赤色光と緑色光を青色光に変換するための上変換発光材料を含んでもよい。例えば、フッ化イットリウムナトリウム（ＮａＹＦ４）をホスト材料として、Ｙｂ：Ｔｍ：Ｅｒ＝２０：０．２：（０〜０．５）をドープする。なお、上変換発光材料は、赤色光よりも波長の大きい赤外線等を赤色光に変換することもできる。例えば、光変換層は、青色光よりも波長の小さい紫外線、Ｘ線、ガンマ線等を青色光に変換するための下変換発光材料を含んでもよい。
【００５７】
例えば、本開示の少なくとも１つの実施例において、量子ドットは一般に球形または類球形であり、その直径は通常２から２０ナノメートルの間である。量子ドットの具体例としては、シリコン量子ドット、ゲルマニウム量子ドット、硫化カドミウム量子ドット、セレン化カドミウム量子ドット、テルル化カドミウム量子ドット、セレン化亜鉛量子ドット、硫化鉛量子ドット、セレン化鉛量子ドット、リン化インジウム量子ドットやヒ素化インジウム量子ドットなどを含む。
【００５８】
本発明の少なくとも１つの実施例において、光変換層の屈折率及び消衰係数等のパラメータは限定されず、上変換発光材料または下変換発光材料は、対応する屈折率または消衰係数の光変換層を得るために他の材料とドープされてもよい。例えば、光変換層の屈折率の範囲は、１〜５、さらには２、３、４などとすることができる。例えば、光変換層の消衰係数の範囲は、１〜５、さらには２、３、４などとすることができる。例えば、光変換層の屈折率と消衰係数は、同一であってもよいし、略同一であってもよい。
【００５９】
例えば、本開示の少なくとも１つの実施例において、光変換層の材料は、量子ドット及び銀ナノ粒子を含んでもよい。量子ドットと銀ナノ粒子の配合比を調節することで、光変換層の屈折率や消衰係数を調節することができる。例えば、光変換層材料中の銀ナノ粒子の占める割合が多いほど、光変換層の屈折率が小さくなり、消衰係数が大きくなる。例えば、量子ドットと銀ナノ粒子との体積比は６６．９４％／３３．０６％とすることができ、これにより、光変換層はクロムと同じ又は類似の屈折率と消衰係数を有することができる。
【００６０】
なお、本開示の少なくとも１つの実施例において、光共振器内の特定の構造層は、光共振器の設計波長に位置し得る光変換層に置き換えられてもよい。このように、設計波長域の光の出射率を向上させるとともに、光共振器の膜系設計を簡略化し、コストを低減することができる。
【００６１】
例えば、光共振器には、光共振器の設計波長の波節に位置する金属層（例えばクロム層）が設けられる。光共振器の動作中に、クロム層は高い反射率を有し、設計波長域の光を反射し、設計波長域の光の出射率を増加させることができ、また、クロム層は大きな消光係数を有し、非設計波長域の光を吸収し、非設計波長域の光の出射率を低下させることができる。例えば、本開示の少なくとも１つの実施例において、上記光共振器におけるクロム層の代わりに光変換層を設けてもよく、この光変換層の光学的厚さをクロム層と同じにしてもよい。例えば、この光変換層の屈折率、消衰係数、膜厚等のパラメータは、クロム層と同等に設定されている。このように、設計波長域の光の出射率を増加させるとともに、光共振器の膜系構造の再設計を不要とすることができ、光共振器における他の膜層の設計パラメータを維持することができ、光共振器の製造プロセスを簡略化し、コストを低減する。
【００６２】
本開示の少なくとも１つの実施例は、上記のいずれかの実施例における光共振器を含む表示パネルを提供する。この表示パネルにおいては、光共振器が単色光線を出射することができ、カラーフィルムを設ける必要がなくてもよい。また、光共振器出射光の単色性が良く、表示画像の効果が向上するとともに、他の波長光線をこの単色光線に変換して出射光の輝度を向上させることができる。
【００６３】
例えば、表示パネルは、タブレット、テレビ、ディスプレイ、ノートパソコン、デジタルフォトフレーム、ナビゲーションなど、表示機能を有する任意の製品または部品であってよく、本開示の少なくとも１つの実施例は、これに限定されない。
【００６４】
例えば、本開示の少なくとも１つの実施例によって提供される表示パネルは、光共振器と積層して設けられ、通過する光の強度を制御可能に構成された光強度制御構造をさらに含む。光強度制御構造は、光の強度を制御することができ、表示パネルの表示画像の階調を調整することができる。なお、本開示の少なくとも１つの実施例において、光強度制御構造と光共振器は表示用光の光路上に積層して設置することができ、光強度制御構造に表示画像の階調を調整させることができる。例えば、光強度制御構造が位置する面は光共振器が位置する面と平行となり、光強度制御構造が位置する面に垂直となる方向において、光強度制御構造は光共振器と少なくとも部分的に重なる。
【００６５】
例えば、本開示の少なくとも１つの実施例において、表示パネルは、複数の画素ユニットを含んでもよく、各画素ユニットには、上述した実施例のいずれか１つの光共振器を設けてもよい。
【００６６】
図２Ａは本開示の１つの実施例によって提供される表示パネルの部分構造の模式図であり、図２Ｂは本開示の１つの実施例によって提供される別の表示パネルの部分構造の模式図であり、図２Ａと図２Ｂは、表示パネルの１画素ユニットの構造を示す。
【００６７】
例示的に、図２Ａと図２Ｂに示すように、各画素ユニット１１００において、表示パネルは、表示用光の光路上に光共振器１００と積層して設けられた光強度制御構造２００を含み、光強度制御構造２００は、通過する光の強度を制御可能に構成される。例えば、光強度制御構造２００は、光共振器１００に入射する光又は光共振器１００から出射される光の強度を制御するように構成される。
【００６８】
例えば、図２Ａと図２Ｂに示すように、表示パネルは、第１の基板３１０と第２の基板３２０を含んでもよい。例えば、第１の基板３１０は、第２の基板３２０に対して表示パネルの表示側に位置している。例えば、第２の基板３２０はアレイ基板であってもよい。例えば、各画素ユニット１１００において、アレイ基板は、少なくとも１つのスイッチ素子（例えば、薄膜トランジスタ）を含んでもよく、スイッチ素子は、光強度制御構造２００のスイッチ及びオン状態で印加される電圧の大きさを制御するように、光強度制御構造２００に信号接続される。
【００６９】
本開示の少なくとも１つの実施例において、表示パネルの種類は限定されない。例えば、表示パネルは、反射型表示パネルであってもよいし、透過型表示パネルであってもよい。また、光強度制御構造２００と光共振器１００との位置関係や、光共振器１００の種類は、表示パネルの種類に応じて選択することができる。
【００７０】
例えば、本開示の少なくとも１つの実施例によって提供される表示パネルにおいて、表示パネルが反射型表示パネルであり、表示パネルの表示側から非表示側に向かって順に、光強度制御構造と光共振器が設けられており、光共振器は反射型光共振器であり、光反射を実現する。例示的に、図２Ａに示すように、表示パネルは反射型表示パネルである。例えば、表示過程において、外界の環境光は光強度制御構造２００を経て反射型光共振器１００に入り、反射型光共振器１００は単色光線を反射し、単色光線は光強度制御構造２００を経て出射され、その間、光強度制御構造２００はこの単色光線の強度を調節する。このように、表示パネルに反射層を別途設ける必要がなく、表示パネルの構造が簡素化されるとともに、反射型光共振器１００は、環境光のうちの他の波長の光線をこの単色光に変換することができ、この単色光の輝度が向上し、従来の反射型表示パネルに比べて表示画像の輝度が向上する。
【００７１】
なお、表示パネルが反射型表示パネルである場合には、光共振器を透過型光共振器としてもよく、これに応じて、第２の基板を反射型基板としてもよい。この場合、光強度制御構造と光共振器との位置関係は、光強度制御構造と光共振器とが第２の基板の表示側に面する側にあれば、特に限定されない。
【００７２】
例えば、本開示の少なくとも１つの実施例によって提供される表示パネルにおいて、表示パネルは透過型表示パネルであり、光共振器は透過型光共振器である。例示的に、図２Ｂに示すように、表示パネルは透過型表示パネルである。例えば、表示過程において、バックライトは透過型光共振器１００に入射し、透過型光共振器１００は単色光線を出射し、光強度制御構造２００はこの単色光線の強度を調整する。バックライトがまず光共振器１００に入ってから光強度制御構造２００に入る表示方式は、バックライトが単色光線に変換される割合を最大化させ、バックライトの利用率を向上させる。なお、光強度制御構造２００は、透過型光共振器１００の入光側に位置してもよく、すなわち、光強度制御構造２００がバックライトの輝度を調整した後、輝度が調整されたバックライトが透過型光共振器１００に入射する。
【００７３】
本開示の少なくとも１つの実施例において、光強度制御構造の具体的な構成は、光強度制御構造が光の輝度を調整可能であれば特に限定されない。
【００７４】
例えば、本開示の少なくとも１つの実施例によって提供される表示パネルにおいて、光強度制御構造は、第１の電極と、第２の電極と、エレクトロクロミック層とを含むエレクトロクロミック光強度制御構造であり、第１の電極と第２の電極は、電気信号の印加時にエレクトロクロミック層を制御可能に構成される。図３は本開示の１つの実施例によって提供される別の表示パネルの部分構造の模式図である。例示的に、図３に示すように、光強度制御構造２００は、第１の電極２１０と、第２の電極２２０と、エレクトロクロミック層２３０とを含むエレクトロクロミック光強度制御構造である。例えば、エレクトロクロミック層２３０は、第１の電極２１０と第２の電極２２０との間に位置する。エレクトロクロミック層２３０はエレクトロクロミック材料を含み、エレクトロクロミック材料は電場の作用下で光透過率が変化し、例えば透明状態から暗色状態へと変化することができる。例えば、第１の電極２１０と第２の電極２２０とに電圧が印加されていない場合や、印加されている電圧が等しい場合には、第１の電極２１０と第２の電極２２０との間の電位差はゼロとなり、エレクトロクロミック層２３０は、透明状態を有し、第１の電極２１０と第２の電極２２０との電位差がゼロよりも大きい場合には、エレクトロクロミック層２３０は、濃色状態を有し、電位差が大きいほどエレクトロクロミック層２３０の光透過率が小さくなる。
【００７５】
本開示の少なくとも１つの実施例において、エレクトロクロミック層中のエレクトロクロミック材料の種類は限定されない。例えば、エレクトロクロミック材料は、三酸化タングステン、ポリチオフェン類及びその誘導体、バイオレット、テトラチオフルバレン、又は金属フタロシアニン化合物等を含んでもよい。
【００７６】
例えば、本開示の少なくとも１つの実施例において、第１の電極と第２の電極は、透明電極または半透明電極であってもよい。例えば、透明電極の材料は、酸化インジウムスズ（ＩＴＯ）、酸化インジウム亜鉛（ＩＺＯ）、酸化インジウムガリウム（ＩＧＯ）、ガリウム添加酸化亜鉛（ＧＺＯ）、酸化亜鉛（ＺｎＯ）、酸化インジウム（Ｉｎ２Ｏ３）、アルミニウムドープ酸化亜鉛（ＡＺＯ）、カーボンナノチューブなどを含んでもよい。
【００７７】
例えば、本開示の少なくとも１つの実施例によって提供される表示パネルにおいて、光強度制御構造は液晶光強度制御構造であり、この液晶光強度制御構造は第３の電極、第４の電極、第１の偏光層、第２の偏光層と液晶層を含み、液晶層は、第１の偏光層と第２の偏光層との間に挟まれており、第３の電極と第４の電極は、電気信号の印加時に液晶層を制御可能に構成されている。例えば、第１の偏光層の第１の偏光方向と第２の偏光層の第２の偏光方向とが互いに垂直となり、表示パネルをノーマリーブラック状態とすることができ、表示画像のコントラストを向上させることができる。図４Ａは本開示の１つの実施例によって提供される別の表示パネルの部分構造の模式図であり、図４Ｂは本開示の１つの実施例によって提供される別の表示パネルの部分構造の模式図である。例示的に、図４Ａと図４Ｂに示すように、光強度制御構造２００は、第３電極２４０と、第４の電極２５０と、第１の偏光層２６０と、第２の偏光層２７０と、液晶層２８０とを含む液晶光強度制御構造であり、液晶層２８０は、第１の偏光層２６０と第２の偏光層２７０との間に介在する。第３電極２４０と第４の電極２５０との間に生じる電界を調整して液晶層２８０における液晶分子の捩れを制御することにより、第１の偏光層２６０と第２の偏光層２７０との協働により、液晶光強度制御構造２００が異なる光透過率を有するようにする。例えば、第３の電極２４０と第４の電極２５０とは、液晶層２８０の同じ側に位置していてもよいし、それぞれ液晶層２８０の両側に位置していてもよい。
【００７８】
本発明の少なくとも１つの実施例によって提供される表示パネルにおいて、表示用光の伝播経路上において、光共振器が光強度制御構造の前に位置していてもよく、すなわち、表示用光が光共振器を通過した後に光強度制御構造に入ることにより、表示用光が所望の単色光に変換される割合を高め、光の利用効率を高めるとともに単色光の輝度を増加させることができる。
【００７９】
例えば、図４Ａに示すように、表示パネルは透過型表示パネルであり、光共振器１００は光強度制御構造２００の第２の基板３２０に面する側に位置し、これによりバックライトが単色光線に変換される割合を増加させることができる。
【００８０】
例えば、図４Ｂに示すように、表示パネルは反射型表示パネルであり、光共振器１００は光強度制御構造２００の第１の基板３２０に面する側に位置し、これにより外部環境光線が単色光線に変換される割合を増加させることができる。例えば、第３の電極２４０は、透明電極又は半透明電極として設けられてもよく、第４の電極２５０は、反射電極として設けられてもよい。
【００８１】
なお、本開示の上記少なくとも１つの実施例によって提供される光共振器は、表示分野に限らず、他の光学分野にも適用可能である。例えば、上述した光共振器は、レーザ分野に適用することができる。
【００８２】
本開示について、以下の数点をさらに説明する必要がある。
【００８３】
（１）本開示の実施例の図面は、本開示の実施例に関連する構造にのみ関連し、他の構造は、一般的な設計を参照することができる。
【００８４】
（２）明確にするために、本開示の実施例を説明するための図面において、層または領域の厚さは、拡大または縮小され、すなわち、これらの図面は、実際の縮尺で描かれていない。
【００８５】
（３）本開示の実施例および実施例の特徴は、矛盾することなく互いに組み合わされて、新たな実施例を得ることができる。
【００８６】
以上は、本開示の具体的な実施形態に過ぎなく、本開示の保護範囲はこれに限定されるものではなく、特許請求の範囲による保護範囲を基準とすべきである。
【００８７】
本願は、２０１８年４月８日付出願された中国特許出願第２０１８１０３０６４１４．５号の優先権を主張するものであり、本願の一部として上記の中国特許出願の開示内容を全体として援用する。
【符号の説明】
【００８８】
１００  光共振器
１０１  共振器本体
１１０  光変換層
１２１  第１機能層
１２２  第２機能層
１３０  光学媒体層
１４０  反射防止膜
１５０  金属吸収層
２００  光強度制御構造
２１０  第１の電極
２２０  第２の電極
２３０  エレクトロクロミック層
２４０  第３の電極
２５０  第４の電極
２６０  第１の偏光層
２７０  第２の偏光層
２８０  液晶層
３１０  第１の基板
３２０  第２の基板
１１００  画素ユニット
【図１Ａ】
2021517263.tif 000004
【図１Ｂ】
2021517263.tif 000005
【図１Ｃ】
2021517263.tif 000006
【図１Ｄ】
2021517263.tif 000007
【図１Ｅ】
2021517263.tif 000008
【図２Ａ】
2021517263.tif 000009
【図２Ｂ】
2021517263.tif 000010
【図３】
2021517263.tif 000011
【図４Ａ】
2021517263.tif 000012
【図４Ｂ】
2021517263.tif 000013
【図５】
2021517263.tif 000014
【図６】
2021517263.tif 000015
【国際調査報告】
2021517263.tif 000016
2021517263.tif 000017
2021517263.tif 000018
2021517263.tif 000019
2021517263.tif 000020